(57)【要約】      （修正有）【課題】ラッチとタブとを有する抜去部品において、ラッチとタブとが容易に接続し、また、取り外すことのできる抜去部品を提供する。【解決手段】コネクタの筐体に取り付けられるラッチ１１０と、ラッチに接続されるタブ１２０と、を有し、ラッチは、２つの支持部１１１と、支持部に設けられた接続穴１１３と、を有しており、支持部の一方が筐体に取り付けられ、接続穴は、接続穴につながり接続穴より小さい開口を有しており、タブは、本体部と、本体部に設けられた２つの腕部１２１と、各々の腕部に設けられた突起部１２２と、を有し、突起部は、腕部の側より、接続部１２３、係止部の順に形成され、接続部の最も狭い部分の幅は、開口の幅よりも狭く形成されており、接続部の最も広い部分の幅は、接続穴より狭く且つ開口の幅よりも広いものであって、係止部は、接続穴よりも大きい領域を有しており、接続穴に接続部を入れることでラッチとタブとが接続される。【選択図】図６
2018151594.tif 000002
【特許請求の範囲】
【請求項１】
コネクタの筐体に取り付けられるラッチと、
前記ラッチに接続されるタブと、
を有し、
前記ラッチは、２つの支持部と、前記支持部に設けられた接続穴と、を有しており、
前記支持部の一方が前記筐体に取り付けられ、
前記接続穴は、前記接続穴につながり前記接続穴より小さい開口を有しており、
前記タブは、本体部と、前記本体部に設けられた２つの腕部と、各々の前記腕部に設けられた突起部と、を有し、
前記突起部は、腕部の側より、接続部、係止部の順に形成され、
前記接続部の最も狭い部分の幅は、前記開口の幅よりも狭く形成されており、
前記接続部の最も広い部分の幅は、前記接続穴より狭く且つ前記開口の幅よりも広いものであって、
前記係止部は、前記接続穴よりも大きい領域を有しており、
前記接続穴に前記接続部を入れることにより、前記ラッチと前記タブとが接続されることを特徴とする抜去部品。
【請求項２】
前記接続部は、円形の領域と、前記円形の一部を除去した切りかけ部を有しており、
前記係止部は、前記接続穴を形成している円形の領域の径よりも径が大きい円形で形成されていることを特徴とする請求項１に記載の抜去部品。
【請求項３】
前記ラッチにおいて、一方の接続穴に形成されている開口と、他方の接続穴に形成されている開口とは、異なる方向に形成されている特徴とする請求項１または２に記載の抜去部品。
【請求項４】
コネクタの筐体に取り付けられるラッチと、
前記ラッチに接続されるタブと、
を有し、
前記ラッチは、２つの支持部と、前記２つの支持部を接続する梁部と、前記梁部の近傍に設けられた接続穴と、を有しており、
前記支持部の一方が前記コネクタの筐体に取り付けられ、
前記接続穴は、円形の領域と、前記円形の領域よりも外側に広がった凹部と、により形成されており、
前記タブは、本体部と、前記本体部に設けられた２つの腕部と、各々の前記腕部に設けられた突起部と、を有しており、
前記突起部は、腕部の側より、接続部、係止部の順に形成されているものであって、
前記接続部は、前記接続穴の径よりも小さな径の円形または多角形で形成されており、
前記係止部は、円形または多角形の領域と、前記円形または多角形の領域よりも外側に広がった凸部と、を有し、
前記係止部は、前記接続穴よりも小さな形状で形成され、
前記係止部の、前記凸部と前記凸部に対向する部分の長さは、前記接続穴の径よりも長く、
前記接続穴に前記接続部を入れることにより、前記ラッチと前記タブとが接続されることを特徴とする抜去部品。
【請求項５】
前記ラッチにおいて、一方の接続穴の凹部の設けられている方向と、他方の接続穴の凹部の設けられている方向とは、異なる方向であることを特徴とする請求項４に記載の抜去部品。
【請求項６】
光モジュールと、
前記光モジュールの筐体に取り付けられ、前記光モジュールの抜去時に操作される抜去部と、を有し、
前記抜去部は、
前記筐体に取り付けられるラッチと、
前記ラッチに接続され、複数の支持部を有するタブと、
前記ラッチは、２つの支持部と、前記支持部に設けられた接続穴と、を有しており、
前記接続穴は、前記接続穴につながり前記接続穴より小さい開口を有しており、
前記タブは、本体部と、前記本体部に設けられた２つの腕部と、各々の前記腕部に設けられた突起部と、を有し、
前記突起部は、腕部の側より、接続部、係止部の順に形成され、
前記接続部の最も狭い部分の幅は、前記開口の幅よりも狭く、
前記接続部の最も広い部分の幅は、前記接続穴より狭く且つ前記開口の幅よりも広く、
前記係止部は、前記接続穴よりも大きい領域を有しており、
前記接続穴に前記接続部を入れることにより、前記ラッチと前記タブとが接続されることを特徴とする抜去部品。
【発明の詳細な説明】
【技術分野】
【０００１】
本発明は、抜去部品及び光モジュールに関する。
【背景技術】
【０００２】
スーパーコンピュータ、ハイエンドサーバーの高速インターフェースにおける通信においては電線ケーブルが用いられているが、信号の高速伝送化に対応し、かつ、伝送距離を長くすることが可能な光通信が普及しつつある。
【０００３】
IBTA EDR（登録商標）、100G Ethernet（登録商標）等の規格で検討されているインターフェースは、伝送距離が数十ｍと長いため光通信が用いられており、電気信号を光信号に変換する光モジュールが用いられている。光モジュールは、光ケーブルから入力した光信号を電気信号に変換して出力し、電気信号を光信号に変換して出力する。
【０００４】
光モジュールは、電気信号を光信号に変換する発光素子、光信号を電気信号に変換する受光素子、発光素子を駆動する駆動回路、電流を電圧に変換するＴＩＡ（Trans Impedance Amplifier）が設けられている。発光素子、受光素子、駆動回路、ＴＩＡは基板に搭載されており、発光素子及び受光素子とレンズ付きフェルールとの間は光導波路により接続されている。
【０００５】
光モジュールは、光信号を伝送する光ケーブルが接続されており、通信装置のパックパネル等に設けられたコネクタに接続される。光モジュールはコネクタにできるだけ高密度に接続することが求められているため、接続された光モジュールを抜去しやすいように、プルタブ等の抜去部品が設けられている。抜去部品は筐体の外側に取り付けられており、光モジュールを容易に引き抜くことができるように形成されている。
【先行技術文献】
【特許文献】
【０００６】
【特許文献１】特許第５８６６０８０号公報
【特許文献２】特表２０１４−５００６０２号公報
【発明の概要】
【発明が解決しようとする課題】
【０００７】
抜去部品は、金属等により形成されたラッチと、指等で引っ張るための樹脂等により形成されたタブとを有している。ラッチとタブとがインサート成形等により一体に形成されている抜去部品を光モジュールの筐体に取り付ける場合、タブが邪魔になり抜去部品を取り付ける作業が困難であるため、筐体に取り付けやすいものが求められている。また、ユーザによってはタブのみを取り替えたいニーズがあるものの、ラッチとタブとが一体に形成されているため、タブのみを取り替えることはできなかった。このため、容易にタブのみを交換することができるものが求められていた。
【０００８】
コネクタに取り付けられるラッチとタブとを有する抜去部品において、ラッチとタブとが容易に接続し、また、取り外すことのできる抜去部品が求められている。
【課題を解決するための手段】
【０００９】
本実施の形態の一観点によれば、コネクタの筐体に取り付けられるラッチと、前記ラッチに接続されるタブと、を有し、前記ラッチは、２つの支持部と、前記支持部に設けられた接続穴と、を有しており、前記支持部の一方が前記筐体に取り付けられ、前記接続穴は、前記接続穴につながり前記接続穴より小さい開口を有しており、前記タブは、本体部と、前記本体部に設けられた２つの腕部と、各々の前記腕部に設けられた突起部と、を有し、前記突起部は、腕部の側より、接続部、係止部の順に形成され、前記接続部の最も狭い部分の幅は、前記開口の幅よりも狭く形成されており、前記接続部の最も広い部分の幅は、前記接続穴より狭く且つ前記開口の幅よりも広いものであって、前記係止部は、前記接続穴よりも大きい領域を有しており、前記接続穴に前記接続部を入れることにより、前記ラッチと前記タブとが接続されることを特徴とする。
【発明の効果】
【００１０】
開示の抜去部品によれば、ラッチとタブとを有する抜去部品において、ラッチとタブとが容易に接続し、また、取り外すことができる。
【図面の簡単な説明】
【００１１】
【図１】光モジュールの分解斜視図
【図２】抜去部品の斜視図
【図３】抜去部品の構造図
【図４】抜去部品が取り付けられた光モジュールの斜視図
【図５】抜去部品の光モジュールへの取り付け方法の説明図
【図６】第１の実施の形態の抜去部品の説明図
【図７】第１の実施の形態のラッチの説明図
【図８】第１の実施の形態のタブの説明図
【図９】第１の実施の形態のラッチとタブとの接続方法の工程図（１）
【図１０】第１の実施の形態のラッチとタブとの接続方法の工程図（２）
【図１１】第１の実施の形態のラッチとタブとの接続方法の工程図（３）
【図１２】第１の実施の形態のラッチとタブとの接続方法の工程図（４）
【図１３】第２の実施の形態の抜去部品の説明図
【図１４】第２の実施の形態のラッチの説明図
【図１５】第２の実施の形態のタブの説明図
【図１６】第２の実施の形態の光モジュールの説明図
【図１７】第２の実施の形態のラッチとタブとの接続方法の工程図（１）
【図１８】第２の実施の形態のラッチとタブとの接続方法の工程図（２）
【図１９】第２の実施の形態のラッチとタブとの接続方法の工程図（３）
【図２０】第２の実施の形態の他のタブの説明図
【図２１】第３の実施の形態の抜去部品の説明図
【図２２】第３の実施の形態のラッチの説明図
【図２３】第３の実施の形態のタブの説明図
【図２４】第３の実施の形態のラッチとタブとの接続方法の工程図（１）
【図２５】第３の実施の形態のラッチとタブとの接続方法の工程図（２）
【図２６】第３の実施の形態のラッチとタブとの接続方法の工程図（３）
【図２７】第３の実施の形態のラッチとタブとの接続方法の工程図（４）
【図２８】第４の実施の形態の抜去部品の説明図
【図２９】第４の実施の形態のラッチの説明図
【図３０】第４の実施の形態のタブの説明図
【図３１】第４の実施の形態のラッチとタブとの接続方法の工程図（１）
【図３２】第４の実施の形態のラッチとタブとの接続方法の工程図（２）
【図３３】第４の実施の形態のラッチとタブとの接続方法の工程図（３）
【図３４】第５の実施の形態のラッチの説明図
【図３５】第５の実施の形態のラッチとタブとの接続方法の工程図（１）
【図３６】第５の実施の形態のラッチとタブとの接続方法の工程図（２）
【図３７】第５の実施の形態のラッチとタブとの接続方法の工程図（３）
【図３８】第５の実施の形態のラッチとタブとの接続方法の工程図（４）
【図３９】第６の実施の形態のラッチとタブとの接続方法の工程図（１）
【図４０】第６の実施の形態のラッチとタブとの接続方法の工程図（２）
【図４１】第６の実施の形態のラッチとタブとの接続方法の工程図（３）
【図４２】第６の実施の形態のラッチとタブとの接続方法の工程図（４）
【発明を実施するための形態】
【００１２】
本発明を実施するための形態について、以下に説明する。尚、同じ部材等については、同一の符号を付して説明を省略する。
【００１３】
〔第１の実施の形態〕
ラッチとタブとが一体に形成されている抜去部品が取り付けられる光モジュールについて、図１に基づき説明する。
【００１４】
図１に示される光モジュールは、フェルールを接続するクリップ３０により固定されたレンズ付きフェルール１０及びＭＴフェルール２０、プリント基板４０、光導波路４８が、下部ケース５１と上部ケース５２とにより形成される筐体内に入れられており、光ケーブル６０が接続されている。尚、レンズ付きフェルール１０とＭＴフェルール２０とは、不図示のガイドピンで位置合わせをした状態でクリップ３０により固定されている。
【００１５】
プリント基板４０には、ＦＰＣ（Flexible Printed Circuits）が接続されるコネクタが設けられている。ＦＰＣには、電気信号を光信号に変換するＶＣＳＥＬ（Vertical Cavity Surface Emitting LASER）等の発光素子及び光信号を電気信号に変換するフォトダイオード等の受光素子が搭載されている。また、プリント基板４０には発光素子を駆動する駆動ＩＣ、受光素子から出力される電流を電圧に変換するＴＩＡ、外部との接続のための接続端子が設けられている。プリント基板４０は、下部ケース５１に設置される。
【００１６】
光導波路４８はフレキシブルなシート状あり、ＦＰＣに接続されている。レンズ付きフェルール１０とＭＴフェルール２０とはクリップ３０により挟まれた状態で光モジュールに設置されている。光導波路４８はレンズ付きフェルール１０側に接続されている。レンズ付きフェルール１０とＭＴフェルール２０は、下部ケース５１に設置される。
【００１７】
クリップ３０にはねじ穴３１が設けられており、下部ケース５１のねじ穴５１ａにねじ５３によりねじどめされる。ねじどめにより、レンズ付きフェルール１０とＭＴフェルール２０がクリップ３０により下部ケース５１に固定される。
【００１８】
光ケーブル６０には、スリーブ６１ａ、６１ｂがカシメリング６２により固定されている。スリーブ６１ａ、６１ｂが固定された光ケーブル６０の上下より、ケーブルブーツ７１、７２が被せられ抜去部品７３が取り付けられる。
【００１９】
下部ケース５１にレンズ付きフェルール１０とＭＴフェルール２０がクリップ３０により固定され、プリント基板４０が載置されている状態で、上部ケース５２が下部ケース５１に被せられ、上部ケース５２のねじ穴５２ａと、下部ケース５１のねじ穴５１ｂとがねじ５４によりねじどめされる。
【００２０】
図２は抜去部品７３の斜視図であり、図３（ａ）は抜去部品７３の正面図、図３（ｂ）は平面図、図３（ｃ）は背面図である。図４は筐体５０に抜去部品７３が取り付けられた光モジュールの斜視図である。
【００２１】
図２及び図３に示されるように、抜去部品７３は、金属材料により形成されたラッチ７４と樹脂材料により形成されたタブ７５とを有している。
【００２２】
ラッチ７４は、筐体５０の両側面を支持する２つの支持部７４ａと、２つの支持部７４ａを接続している梁部７４ｂを有している。支持部７４ａは抜去方向に長く形成されており、支持部７４ａの一方の端部の近傍の接続部が筐体５０に接続され、他方の端部で２つの支持部７４ａが梁部７４ｂにより接続されている。
【００２３】
タブ７５には、本体部７５ａと、本体部７５ａの両側に設けられた接続部７５ｂ、光モジュールを抜去する際に指を入れる穴７５ｃが設けられている。タブ７５は接続部７５ｂにおいてラッチ７４と接続される。抜去部品７３はインサート成形等により形成され、ラッチ７４とタブ７５とが一体となっており、ラッチ７４の各々の支持部７４ａが接続部７５ｂに接続されて固定されている。
【００２４】
梁部７４ｂは、支持部７４ａの伸びる方向、即ち、抜去方向に対し垂直となるように形成されている。梁部７４ｂは、筐体５０の下側となるように筐体５０に取り付けられる。また、タブ７５は、筐体５０に接続されているケーブルブーツ７１、７２の上側に取り付けられている。
【００２５】
抜去部品７３を筐体５０に取り付ける際には、図３（ｃ）に示される支持部７４ａ、梁部７４ｂ、本体部７５ａ及び接続部７５ｂに囲まれた領域に、光ケーブル６０が接続される下部ケース５１を入れる必要がある。このため、作業に手間取り、抜去部品７３を取り付けにくい。抜去部品７３は、図５（ａ）に示されるように、ラッチ７４とタブ７５との間にケーブルブーツ７１、７２及び下部ケース５１を入れて、図５（ｂ）に示すように取り付けるが、ラッチ７４の折曲部７４ｃの内側に下部ケース５１の凸部５１ｃが入り、ラッチ７４の当接部７４ｄが下部ケース５１の当接部５１ｄと接するように接続する必要がある。このような取り付けはタブ７５が邪魔になるため、作業に手間取る。
【００２６】
ラッチとタブとが分離するものであれば、ラッチを筐体に取り付けた後にタブをラッチに取り付けることができるため、ラッチを筐体に取り付ける際にタブが邪魔になることはなく、作業を円滑に行うことができる。また、タブを交換したいというユーザの要望にも対応することができる。
【００２７】
（抜去部品及び光モジュール）
次に、第１の実施の形態の抜去部品及び光モジュールについて、図６〜図８に基づき説明する。図６（ａ）はラッチ１１０とタブ１２０が接続されている状態の斜視図であり、図６（ｂ）はラッチ１１０とタブ１２０の接続部分を含む断面図である。図７（ａ）はラッチ１１０の斜視図であり、図７（ｂ）は側面図であり、図７（ｃ）は平面図である。図８（ａ）はタブ１２０の斜視図であり、図８（ｂ）は平面図であり、図８（ｃ）は図８（ｂ）の一点鎖線８Ａ−８Ｂにおいて切断した断面図である。
【００２８】
本実施の形態の抜去部品１００は、分離可能なラッチ１１０とタブ１２０を有する。ラッチ１１０とタブ１２０は同じ材料により形成してもよいが、各々の機能の観点から、異なる材料により形成されることが好ましい。この点は他の実施の形態も同様である。他の構成についても本実施の形態と同様の構成は説明を省略する場合がある。
【００２９】
抜去部品１００は、ラッチ１１０とタブ１２０とを接続することにより形成される。ラッチ１１０は金属等によりコの字状に形成されており、抜去方向に伸びる２つの支持部１１１と、２つの支持部１１１を接続する梁部１１２を有する。支持部１１１の端部に設けられた筐体接続部１１１ａは不図示の筐体に接続される部分であり、支持部１１１の他方の端部は梁部１１２により接続されている。
【００３０】
梁部１１２と各々の支持部１１１との接続部分の近傍には、一方の側が開いた開口１１３ａを有する接続穴１１３が設けられている。接続穴１１３は開口１１３ａ部分を除き円形で、開口１１３ａは支持部１１１が延びる方向の一方の側が開いている。本実施の形態においては、接続穴１１３は半径が約１．５ｍｍであり、開口１１３ａの幅Ｗａは約２．２ｍｍである。
【００３１】
タブ１２０は樹脂材料等により形成されており、長手方向の一方の側のラッチ１１０との接続部分には、２つの腕部１２１と、各々の腕部１２１の内側に突起部１２２が対向して設けられている。突起部１２２は接続部１２３と係止部１２４を有し、腕部１２１より内側に向かって接続部１２３、係止部１２４の順に形成されている。係止部１２４は例えば直径が約３．５ｍｍの円形で、接続部１２３は係止部１２４と中心が同じ直径が約２．８ｍｍの円の両側の一部を直線状に切り取った切り欠け部１２３ａを有する形状に形成されている。接続部１２３は係止部１２４よりも小さい。尚、タブ１２０は金属等により形成してもよい。
【００３２】
本実施の形態において、接続部１２３の切り欠け部１２３ａ間の幅Ｗｂは約２．０ｍｍである。また、図８（ｃ）に示されるように、接続部１２３は、切り欠け部１２３ａの直線部の延びる方向と、タブ１２０の長手方向と略直角となるように形成されている。
【００３３】
タブ１２０には穴１２５が設けられており、両側の側面に凹凸１２６が形成されている。穴１２５は光モジュールを引き抜く際に指等を入れて引き抜きやすくするために設けられている。また、凹凸１２６は、タブ１２０の側面を手で挟んで光モジュールを引き抜く際に滑らないように設けられている。
【００３４】
ラッチ１１０とタブ１２０は、ラッチ１１０の接続穴１１３にタブ１２０の接続部１２３を入れることにより接続される。具体的に、ラッチ１１０とタブ１２０との接続方法を図９〜図１２に基づき説明する。図９（ａ）〜図１２（ａ）はタブ１２０とラッチ１１０の接続工程を説明する斜視図であり、図９（ｂ）〜図１２（ｂ）はラッチ１１０とタブ１２０の接続部分を含む断面図である。
【００３５】
最初に、図９に示されるように、ラッチ１１０の長手方向に対しタブ１２０の長手方向が直交する状態にして、接続穴１１３の開口１１３ａが設けられている側に接続部１２３が位置するようにする。この状態において、ラッチ１１０の長手方向と接続部１２３の切り欠け部１２３ａの直線の延びる方向とは略平行となっている。
【００３６】
この後、破線矢印Ａに示す方向にタブ１２０を動かすことにより、図１０に示すように開口１１３ａより接続部１２３を入れる。対向する切り欠け部１２３ａ間の幅Ｗｂは開口１１３ａの幅Ｗａよりも狭いため、開口１１３ａより接続穴１１３に接続部１２３を入れることができる。
【００３７】
次に、接続穴１１３に接続部１２３が入れられた状態で、接続部１２３を軸にタブ１２０を破線矢印Ｂに示す方向に回転させる。接続穴１１３は、開口１１３ａが形成されている部分を除き円形で、接続部１２３は切り欠け部１２３ａを除き接続穴１１３の円形部分の半径よりも小さな半径で形成されている。このため、図１１に示されるように、接続穴１１３に接続部１２３が入れられた状態で、接続部１２３を軸にタブ１２０を破線矢印Ｂに示す方向に回転させることができる。
【００３８】
更に、接続穴１１３に接続部１２３が入れられた状態で、接続部１２３を軸にタブ１２０を破線矢印Ｂに示す方向に回転させることにより、図１２に示されるように、タブ１２０の長手方向をラッチ１１０の長手方向と略平行となるようにすることができる。この方向は光モジュールの抜去方向と同じ方向であり、この状態で穴１２５に指を入れてタブ１２０を引くことにより、光モジュールを引き抜くことができる。本実施の形態では、穴１２５に指を入れるだけでなく、タブ１２０の側面に設けられた凹凸１２６を手で掴むことにより光モジュールを引く抜くことができる。
【００３９】
また、本実施の形態において、係止部１２４の直径が約３．５ｍｍであり、接続穴１１３の直径の約３．０ｍｍよりも大きいため、係止部１２４が接続穴１１３の周囲の部分に引っ掛かり、図１１及び図１２に示される状態では、タブ１２０がラッチ１１０より外れることはない。
【００４０】
タブ１２０は接続部１２３を軸に回動可能であるため、ラッチ１１０の長手方向に対しタブ１２０を斜めにすることもでき、自由な角度に動かすことが可能である。光モジュールを引き抜く際には、必ずしも図１２に示すようにラッチ１１０の長手方向とタブ１２０の長手方向とが略平行となっている状態が好ましいとは限らず、タブ１２０の長手方向が、ラッチ１１０の長手方向に対し斜めとなっている状態の方が引き抜きやすい場合がある。本実施の形態は、このような場合にも対応することができる。
【００４１】
また、タブ１２０をラッチ１１０より外す際には、図１２に示す状態より図１１に示す状態を経た後、図１０に示す状態にする。図１０に示すようにラッチ１１０の長手方向とタブ１２０の長手方向とが略垂直となっている状態では、接続部１２３を開口１１３ａより出すことができ、容易にラッチ１１０よりタブ１２０を外すことができる。
【００４２】
また、タブ１２０の突起部１２２の近傍には、ラッチ１１０とタブ１２０とが接続されている状態でラッチ１１０と接触する当接平面１２７が形成されている。タブ１２０が接続部１２３を軸に回動する際には、当接平面１２７が梁部１１２よりも左側に設けられた当接曲面１１５と接触している状態で回動する。
【００４３】
図１０に示す状態では、当接平面１２７は平面１１６ａと接触しているため、タブ１２０が破線矢印Ｂに示す方向とは反対方向にこれ以上回動することはない。また、図１２に示す状態では、当接平面１２７は平面１１６ｂと接触しているため、タブ１２０が破線矢印Ｂに示す方向にこれ以上回動することはない。このように、タブ１２０が接続部１２３を軸に回動する範囲を規制することができる。尚、図１０に示す状態から１２に示す状態に移行するまでの間の例えば図１１に示す状態では、当接平面１２７は当接曲面１１５と接触している状態で回動する。本実施の形態において、平面１１６ａと平面１１６ｂとは直交している。
【００４４】
〔第２の実施の形態〕
次に、第２の実施の形態の抜去部品及び光モジュールについて、図１３〜図１５に基づき説明する。
【００４５】
本実施の形態の光モジュールには、図１６に示されるように、分離可能なラッチ２１０とタブ２２０を有する抜去部品２００が取り付けられる。図１３（ａ）はラッチ２１０とタブ２２０が接続されている状態の斜視図であり、図１３（ｂ）はラッチ２１０とタブ２２０の接続部分を含む断面図である。図１４（ａ）はラッチ２１０の斜視図であり、図１４（ｂ）は側面図であり、図１４（ｃ）は平面図である。図１５（ａ）はタブ２２０の斜視図であり、図１５（ｂ）は平面図であり、図１５（ｃ）は図１５（ｂ）の一点鎖線１５Ａ−１５Ｂにて切断した断面図である。図１６（ａ）は本実施の形態の光モジュールの斜視図であり、図１６（ｂ）は側面図である。
【００４６】
抜去部品２００は、ラッチ２１０とタブ２２０とを接続することにより形成されている。ラッチ２１０は、抜去方向に伸びる２つの支持部１１１と、２つの支持部１１１を接続する梁部１１２を有する。支持部１１１の筐体接続部１１１ａは不図示の筐体に接続される部分であり、支持部１１１の他方の端部は梁部１１２により接続されている。
【００４７】
梁部１１２と各々の支持部１１１との接続部分の近傍には、一方の側に開口２１３ａを有する接続穴２１３が設けられている。接続穴２１３は開口２１３ａ部分を除き円形で、開口２１３ａは支持部１１１が延びる方向の側が開いている。接続穴２１３の円形領域の半径は約１．５ｍｍであり、開口２１３ａの幅Ｗｃは約２．２ｍｍである。
【００４８】
タブ２２０のラッチ２１０との接続部分には、２つの腕部１２１と、各々の腕部１２１の内側に互いに対向する突起部２２２が設けられている。突起部２２２は、接続部２２３と係止部２２４を有し、腕部１２１より内側に向かって接続部２２３、係止部２２４の順に形成されている。係止部２２４は、例えば直径が約３．５ｍｍの円形である。接続部２２３は、図１５（ｃ）に示すように係止部２２４と中心が同じ直径が約２．８ｍｍの円の片側の一部を直線状に切り取った切り欠け部２２３ａを有する形状に形成されている。従って、接続部２２３は係止部２２４よりも小さいが、接続部２２３の円形の領域の直径は開口２１３ａの幅Ｗｃよりも大きい。
【００４９】
本実施の形態では、切り欠け部２２３ａと切り欠け部２２３ａの反対側の接続部２２３の縁との幅Ｗｄは約２．０ｍｍであり、開口２１３ａの幅Ｗｃよりも狭く形成されている。また、図１５（ｃ）に示されるように、接続部２２３は、切り欠け部２２３ａの直線の延びる方向とタブ２２０の長手方向とが略直角となるように形成されている。
【００５０】
ラッチ２１０とタブ２２０は、接続穴２１３に接続部２２３を入れることにより接続される。ラッチ２１０とタブ２２０との接続方法を図１７〜図１９に基づき説明する。尚、図１７（ａ）〜図１９（ａ）は接続工程を説明する斜視図であり、図１７（ｂ）〜図１９（ｂ）はラッチ２１０とタブ２２０の接続部分を含む断面図である。
【００５１】
最初に、図１７に示されるように、ラッチ２１０の長手方向に対しタブ２２０の長手方向が直交した状態で接続穴２１３に接続部２２３を入れる。具体的には、ラッチ２１０の長手方向に対しタブ２２０の長手方向が直交する状態で、開口２１３ａが設けられている側に接続部２２３が位置するようにする。この状態では、ラッチ２１０の長手方向と切り欠け部２２３ａの直線部の延びる方向とは略平行となっている。この後、タブ２２０を左方向に動かし、開口２１３ａより接続部２２３を入れる。切り欠け部２２３ａと接続部２２３の縁との幅Ｗｄは開口２１３ａの幅Ｗｃよりも狭いため、開口２１３ａより接続穴２１３に接続部２２３を入れることができる。
【００５２】
次に、図１８に示されるように、接続穴２１３に接続部２２３が入れられた状態で、接続部２２３を軸にタブ２２０を破線矢印Ｃに示す方向に回転させる。接続穴２１３は開口２１３ａを除き円形で、接続部２２３は切り欠け部２２３ａを除き接続穴２１３の円形部分の半径よりも半径が小さい。このため、接続穴２１３に接続部１２３が入れられた状態で、接続部２２３を軸にタブ２２０を破線矢印Ｃに示す方向に回転させることができる。
【００５３】
これにより、図１９に示されるようにラッチ２１０の長手方向とタブ２２０の長手方向を略平行となるようにすることができ、この状態で穴１２５に指を入れてタブ２２０を引くことにより、光モジュールを引き抜くことができる。
【００５４】
また、穴１２５に指を入れることなく、タブ２２０の側面に設けられた凹凸１２６の部分を手で掴むことにより光モジュールを引き抜いてもよく、図２０に示すようにタブ２２０に穴１２５が設けられていなくてもよい。図２０（ａ）は穴１２５が設けられていないタブ２２０の斜視図であり、図２０（ｂ）は側面図であり、図２０（ｃ）は平面図である。
【００５５】
また、係止部２２４は直径が約３．５ｍｍであり、接続穴２１３の円形部分の半径の約３．０ｍｍよりも大きいため、係止部２２４が接続穴２１３の周囲の部分に引っ掛かり、図１８及び図１９に示される状態ではタブ２２０がラッチ１１０より外れることはない。
【００５６】
また、本実施の形態において、タブ２２０をラッチ２１０より外す際には、図１７に示す状態にした後、タブ２２０を右方向に動かす。接続部２２３幅Ｗｄは開口２１３ａの幅Ｗｃよりも狭いため、図１７に示す状態では接続部２２３を開口２１３ａより容易に出すことができ、容易にタブ２２０をラッチ２１０より外すことができる。
【００５７】
尚、上記以外の内容については、第１の実施の形態と同様である。
【００５８】
〔第３の実施の形態〕
次に、第３の実施の形態の抜去部品及び光モジュールについて、図２１〜図２３に基づき説明する。図２１（ａ）はラッチ３１０とタブ３２０が接続されている状態の斜視図であり、図２１（ｂ）はラッチ３１０とタブ３２０の接続部分を含む断面図である。図２２（ａ）はラッチ３１０の斜視図であり、図２２（ｂ）は側面図であり、図２２（ｃ）は平面図である。図２３（ａ）はタブ３２０の斜視図であり、図２３（ｂ）は平面図であり、図２３（ｃ）は図２３（ｂ）の一点鎖線２３Ａ−２３Ｂにおいて切断した断面図である。本実施の形態の抜去部品３００は、分離可能なラッチ３１０とタブ３２０により形成されている。
【００５９】
本実施の形態の光モジュールでは、ラッチ３１０とタブ３２０を有する抜去部品３００が取り付けられている。
【００６０】
ラッチ３１０の梁部１１２と各々の支持部１１１との接続部分の近傍には、一方の側が開いた開口３１３ａを有する接続穴３１３が設けられている。接続穴３１３は開口３１３ａ部分を除き円形で、開口３１３ａは支持部１１１が延びる方向の側が開いている。本実施の形態において、開口３１３ａは接続穴３１３の上下のいずれかに寄せられている。このため、開口３１３ａの図示上方の縁は円形の接続穴３１３の接線の延長線となるように形成されており、他方の縁には凸部３１３ｂが形成されている。尚、接続穴３１３の円形の領域は半径が約１．５ｍｍの円形であり、開口３１３ａの幅Ｗｅは約２．２ｍｍである。
【００６１】
タブ３２０には、各々の腕部１２１の内側に突起部３２２が対向して設けられている。突起部３２２は接続部３２３と係止部３２４を有し、腕部１２１より内側に向かって接続部３２３、係止部３２４の順に形成されている。係止部３２４は、例えば、直径が約３．５ｍｍの円形で、接続部３２３は係止部３２４と中心が同じで直径が約２．８ｍｍの円の一部をくり抜いた溝部３２３ａが形成されている。溝部３２３ａは約０．７ｍｍ×０．７ｍｍとなるように形成されており、接続部３２３は係止部３２４よりも小さい。
【００６２】
ラッチ３１０とタブ３２０は、接続穴３１３に接続部３２３を入れることにより接続される。ラッチ３１０とタブ３２０との接続方法を図２４〜図２７に基づき説明する。図２４（ａ）〜図２７（ａ）は接続工程を説明する斜視図であり、図２４（ｂ）〜図２７（ｂ）はラッチ３１０とタブ３２０の接続部分を含む断面図である。
【００６３】
最初に、図２４に示されるように、ラッチ３１０の長手方向に対しタブ３２０の長手方向が直交する状態にして、接続部３２３の溝部３２３ａに、開口３１３ａの凸部３１３ｂを入れる。
【００６４】
次に、図２５に示されるように、接続穴３１３に接続部３２３を入れる。
【００６５】
次に、図２６に示されるように、接続穴３１３に接続部３２３が入れられた状態で、接続部３２３を軸にタブ３２０を破線矢印Ｄに示す方向に回転させる。接続穴３１３は開口３１３ａを除き円形で、接続部３２３は溝部３２３ａの部分を除き接続穴３１３の円形部分よりも半径が小さい。このため、接続穴３１３に接続部３２３が入れられた状態で、接続部３２３を軸にタブ３２０を破線矢印Ｄに示す方向に回転させることができる。これにより、図２７に示されるように、ラッチ３１０の長手方向とタブ３２０の長手方向を略平行となるようにすることができる。
【００６６】
本実施の形態において、係止部３２４の直径は約３．５ｍｍであり、ラッチ３１０の接続穴３１３の円形部分の直径の約３．０ｍｍよりも大きいため、図２６及び図２７に示される状態では、タブ３２０がラッチ３１０より外れることはない。
【００６７】
また、本実施の形態においては、タブ３２０をラッチ３１０より外す際には、図２４〜図２７に示す工程の逆を辿れば、容易にタブ３２０をラッチ３１０より外すことができる。
【００６８】
尚、上記以外の内容については、第２の実施の形態と同様である。
【００６９】
〔第４の実施の形態〕
次に、第４の実施の形態の抜去部品及び光モジュールについて、図２８〜図３０に基づき説明する。図２８（ａ）は接続された状態のラッチ４１０とタブ４２０の斜視図であり、図２８（ｂ）はラッチ４１０とタブ４２０の接続部分を含む断面図である。図２９（ａ）はラッチ４１０の斜視図であり、図２９（ｂ）は側面図であり、図２９（ｃ）は平面図である。図３０（ａ）はタブ４２０の斜視図であり、図３０（ｂ）は平面図であり、図３０（ｃ）は図３０（ｂ）の一点鎖線３０Ａ−３０Ｂで切断した断面図である。
【００７０】
本実施の形態の抜去部品４００は、分離可能なラッチ４１０とタブ４２０を有し、光モジュールに取り付けられる。
【００７１】
ラッチ４１０の梁部１１２と各々の支持部１１１との接続部分の近傍には、閉じた接続穴４１３が設けられている。接続穴４１３には、円形の領域と、円形の領域よりラッチ４１０の長手方向に対し垂直方向に外側に広がった２つの凹部４１３ａが形成されている。本実施の形態においては、接続穴４１３の円形の領域は半径が約１．５ｍｍであり、凹部４１３ａと凹部４１３ａとの間の幅は約３．７ｍｍである。
【００７２】
タブ４２０には、各々の腕部１２１の内側に突起部４２２が対向して設けられている。突起部４２２は接続部４２３と係止部４２４を有し、腕部１２１より内側に向かって接続部４２３、係止部４２４の順に形成されている。係止部４２４には円形の領域と、円形の領域よりも外側にタブ４２０の長手方向に延びる２つの凸部４２４ａが設けられている。接続部４２３は直径が約２．８ｍｍの円形で形成されている。また、係止部４２４は接続部４２３と同じ直径の円に凸部４２４ａが設けられており、２つの凸部４２４ａが設けられている部分の幅Ｗｆは約３．５ｍｍである。従って、接続部４２３は係止部４２４よりも小さい。円形の接続部４２３の直径は接続穴４１３の直径以下であり、２つの凸部４２４ａが設けられている部分の幅Ｗｆは接続穴４１３の直径よりも長く形成されている。
【００７３】
図３１（ａ）〜図３３（ａ）はラッチとタブとの接続工程を説明する斜視図であり、図３１（ｂ）〜図３３（ｂ）はラッチ３１０とタブ３２０の接続部分を含む断面図である。ラッチ４１０とタブは、ラッチ４１０の接続穴４１３に接続部４２３を入れることにより接続される。ラッチ４１０とタブ４２０との接続方法を図３１〜図３３に基づき説明する。尚、図３１（ａ）〜図３３（ａ）は接続工程を説明する斜視図であり、図３１（ｂ）〜図３３（ｂ）は、ラッチ３１０とタブ３２０の接続部分を含む断面図である。
【００７４】
図３１に示されるように、ラッチ４１０の長手方向に対しタブ４２０の長手方向が直交する状態にして、接続部４２３を接続穴４１３に入れる。ラッチ４１０の長手方向に対しタブ４２０の長手方向が直交する状態では、係止部４２４の凸部４２４ａの位置と接続穴４１３の凹部４１３ａの位置とを一致させることができる。この状態で腕部１２１と腕部１２１との間を広げて、接続穴４１３に係止部４２４を入れ、更に接続部４２３を入れる。
【００７５】
次に、図３２に示されるように、接続穴４１３に接続部４２３が入れられた状態で、接続部４２３を軸にタブ４２０を破線矢印Ｅに示す方向に回転させる。接続穴４１３は凹部４１３ａを除き円形で、接続部４２３は続穴４１３の円形部分の半径よりもその半径が小さい。このため、接続穴４１３に接続部４２３が入れられた状態で、接続部４２３を軸にタブ４２０を破線矢印Ｅに示す方向に回転させることができる。これにより、図３３に示されるように、ラッチ４１０の長手方向とタブ４２０の長手方向を略平行となるようにすることができる。
【００７６】
本実施の形態において、２つの凸部４２４ａが形成されている部分の幅Ｗｆは、ラッチ４１０の接続穴４１３の円形部分の直径の約３．０ｍｍよりも大きいため、図３２及び図３３に示される状態ではタブ４２０がラッチ４１０より外れることはない。
【００７７】
また、図３１〜図３３に示す工程の逆を辿り、腕部１２１と腕部１２１の間を広げれば、容易にタブ４２０をラッチ４１０より外すことができる。
【００７８】
尚、上記以外の内容については、第２の実施の形態と同様である。
【００７９】
〔第５の実施の形態〕
次に、第５の実施の形態について説明する。図３４（ａ）はラッチ５１０の斜視図であり、図３４（ｂ）は側面図であり、図３４（ｃ）は平面図である。また、図３５〜図３８はラッチとタブとの接続工程の説明図であり、図３５（ａ）〜図３８（ａ）は接続穴５１３側の断面図であり、図３５（ｂ）〜図３８（ｂ）は接続穴５１４側の断面図である。
【００８０】
本実施の形態は、ラッチに設けられた２つの接続穴の開口の位置が異なる。ラッチ５１０には、図３４に示されるように２つの接続穴５１３、５１４が形成されており、一方の接続穴５１３の開口５１３ａが設けられている向きと、他方の接続穴５１４の開口５１４ａが設けられている向きとが異なっており、略直角となっている。
【００８１】
本実施の形態のラッチ５１０は例えば第２の実施の形態のタブ２２０と接続される。
【００８２】
梁部１１２と各々の支持部１１１との接続部分の近傍には、接続穴５１３、５１４が設けられている。接続穴５１３は開口５１３ａ部分を除き円形で、支持部１１１の延びる方向となる側が開いている。また、接続穴５１４は開口５１４ａ部分を除き円形で、支持部１１１の延びる方向とは垂直方向の側が開いている。本実施の形態においては、接続穴５１３、５１４の円形の領域は半径が約１．５ｍｍであり、開口５１３ａ及び開口５１４ａの幅は約２．２ｍｍである。
【００８３】
ラッチ５１０とタブ２２０は、ラッチ５１０の接続穴５１３、５１４の各々に、タブ２２０の突起部２２２の接続部２２３を入れることにより接続される。具体的に、ラッチ５１０とタブ２２０との接続方法を図３５〜図３８に基づき説明する。
【００８４】
最初に、ラッチ５１０の長手方向に対しタブ２２０の長手方向が直交する状態にする。これにより、図３５に示されるように、開口５１３ａが設けられている方向と切り欠け部２２３ａの直線部分の延びる方向とが一致する。この状態においては他方の接続穴５１４の開口５１４ａの設けられている方向と切り欠け部２２３ａの直線部分の延びる方向とは直交している。
【００８５】
次に、図３６に示すように、開口５１３ａに接続部２２３を入れる。開口５１３ａの幅は約２．２ｍｍであり、切り欠け部２２３ａと切り欠け部２２３ａの反対側の接続部２２３の縁との幅Ｗｄは約２．０ｍｍであるため、開口５１３ａの方向と切り欠け部２２３ａの直線の延びる方向とが一致すれば開口５１３ａに接続部２２３を入れることができる。
【００８６】
次に、図３７に示すように、接続部２２３を中心にタブ２２０を約９０°回転させる。これにより、開口５１４ａの設けられている方向と切り欠け部２２３ａの直線の延びる方向とが一致する。
【００８７】
次に、図３８に示すように、開口５１４ａに接続部２２３を入れる。開口５１４ａの幅は約２．２ｍｍであり、切り欠け部２２３ａと接続部２２３の縁との幅Ｗｄは約２．０ｍｍであるため、開口５１４ａの方向と切り欠け部２２３ａの直線の延びる方向とが一致すれば開口５１４ａに接続部２２３を入れることができる。
【００８８】
これにより、ラッチ５１０の接続穴５１３及び接続穴５１４の各々に、タブ２２０の接続部２２３を入れることができる。本実施の形態においては、一方の開口５１３ａが設けられている方向と他方の開口５１４ａが設けられている方向とは異なっている。従って、接続穴５１３及び接続穴５１４から同時に接続部２２３が抜けることはないため、意図せずラッチ５１０よりタブ２２０が外れることを防ぐことができる。
【００８９】
尚、上記以外の内容については、第２の実施の形態と同様である。
【００９０】
〔第６の実施の形態〕
次に、第６の実施の形態について説明する。本実施の形態では、ラッチに設けられた２つの接続穴の凹部の設けられている方向が異なる。図３９〜図４２は、ラッチとタブとの接続工程の説明図である。図３９（ａ）〜図４２（ａ）は接続穴６１３側の断面図であり、図３９（ｂ）〜図４２（ｂ）は接続穴６１４側の断面図である。
【００９１】
本実施の形態のラッチ６１０には、図３９〜図４２に示されるように２つの接続穴６１３、６１４が形成されている。接続穴６１３の凹部６１３ａが設けられている向きと、接続穴６１４の凹部６１４ａが設けられている向きとが異なっており、略直角となっている。本実施の形態の抜去部品は、例えば本実施の形態のラッチ６１０と第４の実施の形態のタブ４２０とを接続することにより形成されている。
【００９２】
接続穴６１３、６１４は、梁部１１２と各々の支持部１１１との接続部分の近傍に設けられている。接続穴６１３には、円形の領域と、円形の領域よりラッチ６１０の長手方向に対し垂直方向に広がった２つの凹部６１３ａが形成されている。また、接続穴６１４には、円形の領域と、円形の領域よりラッチ６１０の長手方向に広がった２つの凹部６１４ａが形成されている。接続穴６１３、６１４の円形領域は半径が約１．５ｍｍであり、接続穴６１３の２つの凹部６１３ａの間の幅、及び、接続穴６１４の２つの凹部６１４ａの間の幅は約３．７ｍｍである。
【００９３】
ラッチ６１０とタブ４２０は、ラッチ６１０の接続穴６１３、６１４の各々に係止部４２４を入れ、更に接続部４２３を入れることにより接続される。具体的に、ラッチ６１０とタブ４２０との接続方法を図３９〜図４２に基づき説明する。
【００９４】
最初に、ラッチ６１０の長手方向に対しタブ４２０の長手方向が直交する状態にする。これにより、図３９に示されるように、接続穴６１３の２つの凹部６１３ａが設けられている方向と係止部４２４の凸部４２４ａが設けられている方向とが一致する。この状態においては、他方の接続穴６１４の凹部６１４ａが設けられている方向と係止部４２４の凸部４２４ａが設けられている方向とは直交している。
【００９５】
次に、図４０に示すように、接続穴６１３に係止部４２４及び接続部４２３を入れる。接続穴６１３の凹部６１３ａが設けられている方向と係止部４２４の凸部４２４ａが設けられている方向は一致しており、接続穴６１３は係止部４２４よりも大きく形成されているため、接続穴６１３に係止部４２４及び接続部４２３を入れることができる。
【００９６】
次に、図４１に示すように、接続部４２３を中心にタブ４２０を約９０°回転させる。これにより、接続穴６１４の凹部６１４ａが設けられている方向とタブ４２０の凸部４２４ａが設けられている方向とが一致する。
【００９７】
次に、図４２に示すように、接続穴６１４に係止部４２４及び接続部４２３を入れる。接続穴６１４の凹部６１４ａが設けられている方向と係止部４２４の凸部４２４ａが設けられている方向は一致しており、接続穴６１４は係止部４２４よりも大きく形成されているため、接続穴６１４に係止部４２４及び接続部４２３を入れることができる。
【００９８】
これにより、ラッチ６１０の接続穴６１３及び接続穴６１４の各々に、タブ４２０の接続部４２３を入れることができる。本実施の形態においては、ラッチ６１０の一方の接続穴６１３の凹部６１３ａが設けられている方向と接続穴６１４の凹部６１４ａが設けられている方向とは異なっており直交している。このため、接続穴６１３及び接続穴６１４から同時に係止部４２４が抜けることはないため、意図せずラッチ６１０よりタブ４２０が外れることを防ぐことができる。
【００９９】
尚、上記以外の内容については、第４の実施の形態と同様である。
【０１００】
以上、本発明の実施に係る形態について説明したが、上記内容は、発明の内容を限定するものではない。
【符号の説明】
【０１０１】
５０        筐体
５１        下部ケース
５２        上部ケース
１００      抜去部品
１１０      ラッチ
１１１      支持部
１１２      梁部
１１３      接続穴
１１５      当接曲面
１２０      タブ
１２１      腕部
１２２      突起部
１２３      接続部
１２３ａ    切り欠け部
１２４      係止部
【図１】
2018151594.tif 000003
【図２】
2018151594.tif 000004
【図３】
2018151594.tif 000005
【図４】
2018151594.tif 000006
【図５】
2018151594.tif 000007
【図６】
2018151594.tif 000008
【図７】
2018151594.tif 000009
【図８】
2018151594.tif 000010
【図９】
2018151594.tif 000011
【図１０】
2018151594.tif 000012
【図１１】
2018151594.tif 000013
【図１２】
2018151594.tif 000014
【図１３】
2018151594.tif 000015
【図１４】
2018151594.tif 000016
【図１５】
2018151594.tif 000017
【図１６】
2018151594.tif 000018
【図１７】
2018151594.tif 000019
【図１８】
2018151594.tif 000020
【図１９】
2018151594.tif 000021
【図２０】
2018151594.tif 000022
【図２１】
2018151594.tif 000023
【図２２】
2018151594.tif 000024
【図２３】
2018151594.tif 000025
【図２４】
2018151594.tif 000026
【図２５】
2018151594.tif 000027
【図２６】
2018151594.tif 000028
【図２７】
2018151594.tif 000029
【図２８】
2018151594.tif 000030
【図２９】
2018151594.tif 000031
【図３０】
2018151594.tif 000032
【図３１】
2018151594.tif 000033
【図３２】
2018151594.tif 000034
【図３３】
2018151594.tif 000035
【図３４】
2018151594.tif 000036
【図３５】
2018151594.tif 000037
【図３６】
2018151594.tif 000038
【図３７】
2018151594.tif 000039
【図３８】
2018151594.tif 000040
【図３９】
2018151594.tif 000041
【図４０】
2018151594.tif 000042
【図４１】
2018151594.tif 000043
【図４２】
2018151594.tif 000044